(57)【特許請求の範囲】
【請求項１】
端部表面に端子部を有する基板が挿入されるコネクタに設けられるコネクタ端子であって、
前記基板の挿入方向の前方側が前記基板に向かって傾斜した傾斜部であり、前記基板に押圧されて弾性撓みする傾斜部と、
前記傾斜部に設けられ、前記基板の端子部に接触する１つの接点部と、
前記傾斜部の前記接点部に対して前記基板の挿入方向に見て互いに重ならない位置であって前記接点部の両外側に、前記基板の挿入時に前記接点部よりも先に前記基板に接触するように設けられた突起部であり、前記基板の挿入により前記基板の端縁部に接触して前記基板の端子部に乗り上げ、さらに挿入を続けることで前記基板の端子部に前記接点部が接触することにより前記基板の端子部から離れた状態となる突起部と
を有するコネクタ端子。
【請求項２】
前記突起部は、表面が滑らかな曲面状である請求項１記載のコネクタ端子。
【発明の詳細な説明】
【技術分野】
【０００１】
本発明は、自動車等に搭載される各種機器の電気接続に使用されるコネクタ端子に係り、より詳しくは、端部表面に端子部を有する基板が嵌合されるコネクタ用のコネクタ端子に関する。
【背景技術】
【０００２】
端部表面に端子部を有する基板が嵌合されるコネクタとして、例えば特許文献１に記載のコネクタが知られている。図７は特許文献１に記載のコネクタにおける端子金具の斜視図、図８は端子金具が挿入されたハウジングと相手側コネクタとを分離した状態を表す断面図、図９は端子金具が挿入されたハウジングと相手側コネクタとを嵌合した状態を表す断面図である。
【０００３】
図７に示す端子金具１００は、図８に示すようにカードエッジコネクタ１１０内に組み付けられる。カードエッジコネクタ１１０は、図８から図９に示すように、相手側コネクタ１２０のフード部１２１内に嵌合される。図９に示す嵌合状態では、回路基板１２２の端縁部がハウジング１１１の差込空間１１２内に進入し、上下両段の端子金具１００の弾性接触片１０１の間に割り込んでその両弾性接触片１０１を弾性撓みさせる。これにより、弾性接触片１０１が、その弾性復元力による所定の接触圧で回路基板１２２に対してその上下両面に弾性接触し、その回路基板１２２の端部表面に有する端子部に接続される。
【０００４】
弾性接触片１０１は、略Ｕ字形をなし、その略Ｕ字の半円状の回曲部は、弾性接触片１０１が弾性撓みしない自由状態において側壁１０２Ｌ，１０２Ｒの上縁よりも上方へ突出する接触部１０１Ａとされ、この接触部１０１Ａが回路基板１２２の上面あるいは下面に弾性接触するようになっている。
【先行技術文献】
【特許文献】
【０００５】
【特許文献１】特開２００３−７３６９号公報
【発明の概要】
【発明が解決しようとする課題】
【０００６】
ところで、このような端部表面に端子部を有する基板が嵌合されるコネクタでは、嵌合時に相手側コネクタ１２０の回路基板１２２の先端角部に面取りがない場合、弾性接触片１０１の接触部１０１Ａが回路基板１２２の上面に乗り上げる際に接触部１０１Ａの表面が削れる現象を生じる。このように接触部１０１Ａの表面が削れてしまうと、接触部１０１Ａの接触面における接触が不安定となり、接触抵抗の増加を招き、電気的接続が不安定となるという問題がある。
【０００７】
そこで、本発明においては、挿入される基板の先端で接点部が削り取られることを防止し、接点部と基板の端子部との接触を安定させることにより、接点部における接触抵抗の増加を防止し、電気的接続を安定させることが可能なコネクタ端子を提供することを目的とする。
【課題を解決するための手段】
【０００８】
本発明のコネクタ端子は、端部表面に端子部を有する基板が挿入されるコネクタに設けられるコネクタ端子であって、基板の挿入方向の前方側が基板に向かって傾斜した傾斜部であり、基板に押圧されて弾性撓みする傾斜部と、傾斜部に設けられ、基板の端子部に接触する１つの接点部と、傾斜部の前記接点部に対して前記基板の挿入方向に見て互いに重ならない位置であって前記接点部の両外側に、基板の挿入時に接点部よりも先に基板に接触するように設けられた突起部であり、基板の挿入により基板の端縁部に接触して基板の端子部に乗り上げ、さらに挿入を続けることで基板の端子部に接点部が接触することにより基板の端子部から離れた状態となる突起部とを有するものである。
【０００９】
本発明のコネクタ端子によれば、基板の挿入時に、接点部よりも先に突起部が基板の端縁部に接触し、基板の端子部に乗り上げる。そして、さらに基板の挿入を続けると、接点部が基板の端縁部に接触し、基板に乗り上げる。このとき、突起部が先に基板に接触して傾斜部を弾性撓みさせているため、傾斜部の傾斜角度が緩やかな状態となっている。また、接点部が基板に乗り上げる際の傾斜部の弾性撓み量も減っているため、接点部が基板に乗り上げる際に受ける負荷が減り、挿入される基板の先端で接点部が削り取られることが防止される。また、基板の端子部に接点部が接触して乗り上げた際には、突起部は基板の端子部から離れた状態となり、接点部のみが基板の端子部に接触するため、接点部と基板の端子部との接触が安定する。
【００１０】
ここで、突起部は、表面が滑らかな曲面状であることが望ましい。これにより、基板挿入時に突起部が基板に滑らかに接触して乗り上げるようになり、突起部が基板に乗り上げる際の抵抗を減らすことが可能となる。
【００１１】
また、接点部および突起部は、基板の挿入方向に見て互いに重ならない位置に設けられたものであることにより、基板を挿入する過程で接点部が接触する基板の端子部の部分を避けた位置に突起部が接触するようにすることができ、接点部が接触する基板の端子部の部分に突起部が接触して疵付けるのを防止することが可能となる。
【発明の効果】
【００１２】
（１）基板の挿入方向の前方側が基板に向かって傾斜した傾斜部であり、基板に押圧されて弾性撓みする傾斜部と、傾斜部に設けられ、基板の端子部に接触する１つの接点部と、傾斜部の前記接点部に対して前記基板の挿入方向に見て互いに重ならない位置であって前記接点部の両外側に、基板の挿入時に接点部よりも先に基板に接触するように設けられた突起部であり、基板の挿入により基板の端縁部に接触して基板の端子部に乗り上げ、さらに挿入を続けることで基板の端子部に接点部が接触することにより基板の端子部から離れた状態となる突起部とを有するコネクタ端子によれば、挿入される基板の先端で接点部が削り取られることを防止し、接点部と基板の端子部との接触を安定させることにより、接点部における接触抵抗の増加を防止し、電気的接続を安定させることが可能となる。
【００１３】
（２）突起部は表面が滑らかな曲面状であることにより、基板挿入時に突起部が基板に乗り上げる際の抵抗を減らして、基板を滑らかに挿入することが可能となる。
【００１４】
（３）接点部および突起部は、基板の挿入方向に見て互いに重ならない位置に設けられたものであることにより、基板を挿入する過程で接点部が接触する基板の端子部の部分に突起部が接触して疵付けるのを防止し、さらに接点部における接触抵抗の増加を防止して、電気的接続をより安定させることが可能となる。
【図面の簡単な説明】
【００１５】
【図１】本発明の実施の形態におけるコネクタ端子を備えたコネクタの縦断面図である。
【図２】図１のコネクタ端子を斜め下方から見た斜視図である。
【図３】図２のＡ部拡大図である。
【図４Ａ】コネクタ端子に基板が挿入される様子を示す要部拡大断面図である。
【図４Ｂ】コネクタ端子に基板が挿入される様子を示す要部拡大断面図である。
【図４Ｃ】コネクタ端子に基板が挿入される様子を示す要部拡大断面図である。
【図５】コネクタ端子の別の実施形態を示す斜め下方から見た斜視図である。
【図６】図５のＢ部拡大図である。
【図７】従来のコネクタの端子金具の斜視図である。
【図８】図７の端子金具が挿入されたハウジングと相手側コネクタとを分離した状態を表す断面図である。
【図９】図７の端子金具が挿入されたハウジングと相手側コネクタとを嵌合した状態を表す断面図である。
【発明を実施するための形態】
【００１６】
図１は本発明の実施の形態におけるコネクタ端子を備えたコネクタの縦断面図、図２は図１のコネクタ端子を斜め下方から見た斜視図、図３は図２のＡ部拡大図である。
【００１７】
図１において、本発明の実施の形態におけるコネクタ端子２を備えたコネクタ１は、端部表面に端子部３Ａを有する基板３が嵌合される。コネクタ端子２は、コネクタハウジング１０の後面側（図１の右側）の開口部１１から内部に挿入され、リテーナ１２によってコネクタ端子２がハウジング１０の後面側へ抜けないように固定される。基板３は、コネクタハウジング１０の前面側（図１の左側）の開口部１３から内部に挿入される。なお、本実施形態において“前面側”はコネクタハウジング１０を基板３の挿入方向Ｘに見て正面側を、“後面側”は背面側をいう。
【００１８】
コネクタ端子２は、導電性を有する平板材を加工して形成されたものである。コネクタ端子２は、基板３を挟持する端子本体部２０と、ケーブル４が圧着されるケーブル圧着部２１と、ケーブル４を結束するためのケーブル保持部２２とを有する。端子本体部２０は、基板３の端子部３Ａに弾性接触する弾性接触部２３と、弾性接触部２３に対向配置された基板受け部２４とを有する。
【００１９】
弾性接触部２３は、基板３に押圧されて弾性撓みする傾斜部２５と、傾斜部２５に設けられ、基板３の端子部３Ａに接触する接点部２６と、傾斜部２５に設けられた突起部２７とを有する。傾斜部２５は、端子本体部２０の基板３の挿入方向Ｘの後方側（図１の左側）の基部２０Ａから前方側（図１の右側）に折り返されるように延びた部分であり、前方側（図１の右側）が基板受け部２４に近付くように、すなわち挿入される基板３に向かって傾斜している。そして、傾斜部２５の前方側の端部は基板３から離れる方向（図１の上方向）に折り曲げられ、さらに後方側に向かって折り返されている。接点部２６は傾斜部２５の前方側の端部の折り返された部分に設けられている。突起部２７は、接点部２６よりもコネクタハウジング１０の開口部１３に近い位置に下方に向かって突出して設けられている。突起部２７は表面が滑らかな曲面状に形成されている。
【００２０】
また、接点部２６および突起部２７は、基板３の挿入方向Ｘに見て互いに重ならない位置に設けられている。図３に示すように、本実施形態において接点部２６は１つである。一方、突起部２７は２つであり、基板３の挿入方向Ｘに見て接点部２６の両外側に配置されている。なお、図５および図６に示すように、突起部２７を１つとし、接点部２６を２つとして、接点部２６を基板３の挿入方向Ｘに見て突起部２７の両外側に配置した構成とすることも可能である。この場合、２点接点となり、基板３の端子部３Ａと接点部２６との接続状態が安定する。
【００２１】
図４Ａ〜図４Ｃはコネクタ端子２に基板３が挿入される様子を示す要部拡大断面図である。図４Ａに示すように、基板３の挿入時、基板３の端縁部３Ｂは突起部２７に最初に接触し、傾斜部２５を上方へ弾性撓みさせる。これにより、突起部２７は基板３の上面に乗り上げる。
【００２２】
そしてさらに基板３が進入すると、図４Ｂに示すように接点部２６が基板３の端縁部３Ｂに接触し、図４Ｃに示すように基板３の上面に乗り上げる。このとき、突起部２７が先に基板３に接触して傾斜部２５を弾性撓みさせているため、傾斜部２５の傾斜角度は最初よりも緩やかな状態となっている。また、接点部２６が基板３の上面に乗り上げる際の傾斜部２５の弾性撓み量も減っている。そのため、接点部２６が基板３の上面に乗り上げる際に受ける負荷が減り、挿入される基板３の先端で接点部２６が削り取られることが防止される。
【００２３】
また、基板３の端子部３Ａに接点部２６が接触して乗り上げた際には、図４Ｃに示すように突起部２７は基板３の端子部３Ａから離れた状態となる。これにより、接点部２６のみが基板３の端子部３Ａに接触するため、接点部２６と基板３の端子部３Ａとの接触が安定する。その結果、接点部２６における接触抵抗の増加が防止され、電気的接続が安定する。
【００２４】
また、本実施形態におけるコネクタ端子２では、突起部２７は表面が滑らかな曲面状であることから、基板３の挿入時に突起部２７が基板３に滑らかに接触して乗り上げるようになる。これにより、突起部２７が基板３に乗り上げる際の抵抗が減り、基板３を滑らかに挿入することが可能となっている。
【００２５】
また、本実施形態におけるコネクタ端子２では、接点部２６および突起部２７が基板３の挿入方向に見て互いに重ならない位置に設けられている。そのため、基板３を挿入する過程で接点部２６が接触する基板３の端子部３Ａの部分を避けた位置に突起部２７が接触するようにすることが可能であり、接点部２６が接触する基板３の端子部３Ａの部分に突起部２７が接触して疵付けるのを防止することが可能となっている。
【産業上の利用可能性】
【００２６】
本発明のコネクタ端子は、端部表面に端子部を有する基板が嵌合されるコネクタ用のコネクタ端子として有用である。
【符号の説明】
【００２７】
１  コネクタ
２  コネクタ端子
３  基板
３Ａ  端子部
３Ｂ  端縁部
４  ケーブル
１０  コネクタハウジング
１１，１３  開口部
１２  リテーナ
２０  端子本体部
２１  ケーブル圧着部
２２  ケーブル保持部
２３  弾性接触部
２４  基板受け部
２５  傾斜部
２６  接点部
２７  突起部
【要約】
【課題】挿入される基板の先端で接点部が削り取られることを防止し、接点部と基板の端子部との接触を安定させることにより、接点部における接触抵抗の増加を防止し、電気的接続を安定させることが可能なコネクタ端子の提供。
【解決手段】端部表面に端子部３Ａを有する基板３が挿入されるコネクタ１に設けられるコネクタ端子２であって、基板３の挿入方向の前方側が基板３に向かって傾斜し、基板３に押圧されて弾性撓みする傾斜部２５と、傾斜部２５に設けられ、基板３の端子部３Ａに接触する接点部２６と、傾斜部２５に基板３の挿入時に接点部２６よりも先に基板３に接触するように設けられ、基板３の挿入により基板３の端縁部３Ｂに接触して基板の端子部３Ａに乗り上げ、さらに挿入を続けることで基板３の端子部３Ａに接点部２６が接触することにより基板３の端子部３Ａから離れた状態となる突起部２７とを有する。
【選択図】図１【図１】
0005794363.tif 000002
【図２】
0005794363.tif 000003
【図３】
0005794363.tif 000004
【図４Ａ】
0005794363.tif 000005
【図４Ｂ】
0005794363.tif 000006
【図４Ｃ】
0005794363.tif 000007
【図５】
0005794363.tif 000008
【図６】
0005794363.tif 000009
【図７】
0005794363.tif 000010
【図８】
0005794363.tif 000011
【図９】
0005794363.tif 000012